(57)【要約】【課題】フィルタ素材の濾過面に塵埃が付着したままの状態で、空気調和機を運転してしまうことのない空気調和機を提供する。【解決手段】フィルタ素材２５の濾過面２６を、ノズル本体７０とこのノズル本体７０の吸込面７０Ａに対向する対向板７２とで挟み込んだ。【選択図】図７
2007309584.tif 000002
【特許請求の範囲】
【請求項１】
熱交換器及び送風機を有する本体ユニットと、化粧パネルとを備え、
前記化粧パネルにフィルタ素材を設けるとともに、このフィルタ素材に付着した塵埃を吸引して清掃する清掃手段を設けた空気調和機において、
前記清掃手段が、前記フィルタ素材を挟み込んで対向配置された対向板を備えたことを特徴とする空気調和機。
【請求項２】
前記清掃手段は、吸引した塵埃を集塵する集塵ボックスを、前記本体ユニットの隅部に備えたことを特徴とする請求項１に記載の空気調和機。
【請求項３】
熱交換器及び送風機を有する本体ユニットと、この本体ユニットの下方位置に配置される化粧パネルとを備えた空気調和機において、
前記本体ユニットと前記化粧パネルとの間にフィルタユニットを備え、
このフィルタユニットにフィルタ素材を設けるとともに、このフィルタ素材に付着した塵埃を吸引して清掃する清掃手段を設け、
前記清掃手段が、前記フィルタ素材を挟み込んで対向配置された対向板を備えたことを特徴とする空気調和機。
【請求項４】
前記清掃手段は、吸引した塵埃を集塵する集塵ボックスを、前記フィルタユニットの隅部に備えたことを特徴とする請求項３に記載の空気調和機。
【請求項５】
前記清掃手段が前記フィルタ素材の濾過面に沿って帯状に延びる吸引部を有し、この吸引部と前記対向板とは、前記濾過面に沿って移動することができることを特徴とする請求項１乃至４のいずれか一項に記載の空気調和機。
【請求項６】
前記吸引部と前記対向板とは、前記フィルタ素材の脇で、サイドフレームにより一体に連結されていることを特徴とする請求項１乃至５のいずれか一項に記載の空気調和機。
【請求項７】
前記対向板には、前記フィルタ素材に接触する引掻きローラを備えることを特徴とする請求項１乃至６のいずれか一項に記載の空気調和機。
【請求項８】
前記引掻きローラは、モータで転動されることを特徴とする請求項７に記載の空気調和機。
【請求項９】
前記引掻きローラは、前記吸引部への吸気流によって転動されることを特徴とする請求項７に記載の空気調和機。
【請求項１０】
前記吸引部には、前記フィルタ素材の全幅と略同寸法の長さであるとともに前記フィルタ素材の幅方向と略同方向に延びる吸引開口と、
この吸引開口で吸引した塵埃を搬送するホースを接続するジョイント部と、
このジョイント部と前記吸引開口とを連通させる連通空間とが形成されており、
前記吸引開口における位置が前記ジョイント部の位置から離れるにつれて、前記連通空間の断面が小さくなるように形成されていることを特徴とする請求項５乃至９のいずれか一項に記載の空気調和機。
【請求項１１】
前記ジョイント部には、前記吸引部側に分岐する複数の分岐部が形成されており、
前記吸引開口が形成されている方向と略同方向に分布する複数の位置で、前記分岐部と前記連通空間とが連通することを特徴とする請求項１０に記載の空気調和機。
【請求項１２】
前記複数の分岐部は、前記ホースが接続された位置からの長さが短い前記分岐部ほど、この分岐部の内側に形成された流路の断面が小さくなるように形成されていることを特徴とする請求項１１に記載の空気調和機。
【発明の詳細な説明】
【技術分野】
【０００１】
本発明は、吸込開口から吸込まれた空気を流通させるフィルタ素材を備えた空気調和機に関する。
【背景技術】
【０００２】
従来、熱交換器及び送風機を有する本体ユニットと、化粧パネルとを備え、化粧パネルにフィルタ素材を設けるとともに、このフィルタ素材に付着した塵埃を吸引して清掃する清掃手段を設けた空気調和機が知られている。この種の空気調和機では、室内空気の吸込面にフィルタ素材が配置されており、このフィルタ素材によって吸込んだ室内空気を濾過している。このフィルタ素材には室内空気に含まれる塵埃が捕捉されて蓄積されるので、空気調和機の累積運転時間が長くなると、フィルタが目詰まりを起こしてしまい、吸気抵抗の増加に伴って空気調和機の運転効率が低下してしまう。そのため、フィルタ素材の濾過面に付着している塵埃を清掃手段で吸引して清掃すると共に、汚れたフィルタ素材をフィルタ搬送機構で巻き取って新しいフィルタ素材を繰り出す空気調和機が提案されている（例えば、特許文献１参照）。
【特許文献１】特開平９−１８４６５６号公報
【発明の開示】
【発明が解決しようとする課題】
【０００３】
しかしながら、上述した従来の空気調和機においては、フィルタ素材の濾過面に付着し、こびり付いている塵埃を、吸引して除去することは困難であった。このため、濾過面に、除去しきれなかった塵埃が付着したままの状態で、空気調和機を運転してしまうことがあった。
そこで、本発明の目的は、上述した従来の技術が有する課題を解消し、フィルタ素材の濾過面に塵埃が付着したままの状態で、空気調和機を運転してしまうことのない空気調和機を提供することにある。
【課題を解決するための手段】
【０００４】
本発明は、熱交換器及び送風機を有する本体ユニットと、化粧パネルとを備え、前記化粧パネルにフィルタ素材を設けるとともに、このフィルタ素材に付着した塵埃を吸引して清掃する清掃手段を設けた空気調和機において、前記清掃手段が、前記フィルタ素材を挟み込んで対向配置された対向板を備えたことを特徴とする。
【０００５】
この場合において、前記清掃手段は、吸引した塵埃を集塵する集塵ボックスを、前記本体ユニットの隅部に備えてもよい。
【０００６】
また本発明は、熱交換器及び送風機を有する本体ユニットと、この本体ユニットの下方位置に配置される化粧パネルとを備えた空気調和機において、前記本体ユニットと前記化粧パネルとの間にフィルタユニットを備え、このフィルタユニットにフィルタ素材を設けるとともに、このフィルタ素材に付着した塵埃を吸引して清掃する清掃手段を設け、前記清掃手段が、前記フィルタ素材を挟み込んで対向配置された対向板を備えたことを特徴とする。
【０００７】
この場合において、前記清掃手段は、吸引した塵埃を集塵する集塵ボックスを、前記フィルタユニットの隅部に備えてもよい。
【０００８】
上記場合において、前記清掃手段が前記フィルタ素材の濾過面に沿って帯状に延びる吸引部を有し、この吸引部と前記対向板とは、前記濾過面に沿って移動してもよい。前記吸引部と前記対向板とは、前記フィルタ素材の脇で、サイドフレームにより一体に連結されていてもよい。
【０００９】
また上記場合において、前記対向板には、前記フィルタ素材に接触する引掻きローラを備えてもよい。前記引掻きローラは、モータで転動されてもよい。前記引掻きローラは、前記吸引部への吸気流によって転動されてもよい。
【００１０】
さらに上記場合において、前記吸引部には、前記フィルタ素材の全幅と略同寸法の長さであるとともに前記フィルタ素材の幅方向と略同方向に延びる吸引開口と、この吸引開口で吸引した塵埃を搬送するホースを接続するジョイント部と、このジョイント部と前記吸引開口とを連通させる連通空間とが形成されており、前記吸引開口における位置が前記ジョイント部の位置から離れるにつれて、前記連通空間の断面が小さくなるように形成されてもよい。前記ジョイント部には、前記吸引部側に分岐する複数の分岐部が形成されており、前記吸引開口が形成されている方向と略同方向に分布する複数の位置で、前記分岐部と前記連通空間とが連通してもよい。前記複数の分岐部は、前記ホースが接続された位置からの長さが短い前記分岐部ほど、この分岐部の内側に形成された流路の断面が小さくなるように形成されてもよい。
【発明の効果】
【００１１】
本発明によれば、清掃手段が、フィルタ素材を挟み込んで対向配置された対向板を備えるため、清掃能力を向上し、フィルタ素材の濾過面に塵埃が付着したままの状態で、空気調和機を運転してしまうことを防ぐことができる。
【発明を実施するための最良の形態】
【００１２】
以下、本発明の一実施の形態を、添付図面を参照して説明する。
図１は、本発明の実施の形態に係る天井埋込型空気調和機（空気調和機）１００の斜視図、図２は、図１の断面図である。
この天井埋込型空気調和機１００は、図１に示すように、略四角形の箱形に形成されている板金製の本体ユニット１と、フィルタユニット２０と、化粧パネル２１とによって三段に構成されており、図２に示すように、吊りボルト２で天井から吊り下げられている。
【００１３】
この本体ユニット１の内側には、図２に示すように、発泡スチロール製の断熱体３、送風機９、及び熱交換器１１を備えている。断熱体３は、本体ユニット１の側板１Ａの内面に略接した状態で配置されている。
送風機９は、シャフトを下向きに配置されたモータ５と、モータ５のシャフトに取り付けられた羽根車７とで構成されている。
熱交換器１１は、この送風機９を取り囲むように、略四角形状に曲げられており、断熱体３の内側に配置されている。
【００１４】
また、この断熱体３の内側であって熱交換器１１の下方には、熱交換器１１の下面１１Ａを覆うように、発泡スチロール製のドレンパン１３と、このドレンパン１３に溜まるドレンを外部に排出するドレンポンプ（不図示）が配置されている。
ドレンパン１３は、その外周１３Ａが本体ユニット１の側板１Ａの内面に略接した状態で配置されており、このドレンパン１３には、送風機９のノズル１７、電装ボックス１９（図３）等の各種部品がねじ止めされている。
フィルタユニット２０は、図１に示すように、取付具５５が本体ユニット１のフィルタユニット取付部５６に支持されて本体ユニット１の下面に取り付けられており、図２に示すように、フィルタ素材２５と、フィルタ清掃装置（清掃手段）４０と、フィルタ搬送装置４１とを備えている。
フィルタユニット２０の下面には、化粧パネル２１が取り付けられている。この化粧パネル２１には、被調和室の空気を吸込むメッシュ状の吸込口２２と、調和空気を被調和室に吹き出す吹出口２３とが形成されている。
【００１５】
図３は、本体ユニット１を示す底面図である。
ドレンパン１３には、吸込開口１３０及び吹出開口１３１が形成されている。吸込開口１３０は、ドレンパン１３を本体ユニット１に組み付けたときに、吸込開口１３０が化粧パネル２１の吸込口２２（図２参照）に対応する位置に形成され、吹出開口１３１は化粧パネル２１の吹出口２３（図２参照）に対応する位置に形成されている。ドレンパン１３に設けられた吸込開口１３０は、略矩形に形成されたドレンパン１３の中央に平面視略円形に形成されている。また、吹出開口１３１は、ドレンパン１３の４辺のそれぞれに沿って形成されている。
本体ユニット１の側板１Ａの外側には、４個の吊り金具２７Ａ〜２７Ｄが連結されており、この吊り金具２７Ａ〜２７Ｄが吊りボルト２（図２参照）で支持されて、天井埋込型空気調和機１００は天井から吊り下げられている。吊り金具２７Ａ〜２７Ｄに、補強部材１５Ａ、１５Ｂがねじ３０でねじ止めされており、この補強部材１５Ａとドレンパン１３とに前記電装ボックス１９がねじ止めされている。また、吊り金具２７Ａとこの吊り金具２７Ａの対角にある吊り金具２７Ｄとの近傍には、フィルタユニット２０の取付具５５（図１参照）を連結してフィルタユニット２０を支持するためのフィルタユニット取付部５６が設けられている。
【００１６】
図４は、フィルタユニット２０を示す底面図である。
フィルタユニット２０には、吸込開口４２及び吹出開口４３が形成されている。吸込開口４２は、フィルタユニット２０を本体ユニット１に組み付けたときに、化粧パネル２１の吸込口２２（図２参照）に対応する位置に形成され、吹出開口４３は化粧パネル２１の吹出口２３（図２参照）に対応する位置に形成されている。フィルタユニット２０に設けられた吸込開口４２は、略矩形に形成されたフィルタユニット２０の中央に平面視略矩形に形成されている。また、吹出開口４３は、フィルタユニット２０の４辺のそれぞれに沿って形成されている。
フィルタユニット２０の底面には、四隅に化粧パネル２１を支持するための化粧パネル取付部５７が設けられている。また、フィルタユニット２０の取付具５５は、フィルタユニット２０を本体ユニット１に組み付けたときに、本体ユニット１のフィルタユニット取付部５６に対応する位置に設けられている。
【００１７】
フィルタユニット２０の吸込開口４２は、図２に示すように、フィルタユニット２０を本体ユニット１に組み付けたときに、本体ユニット１の吸込開口１３０に対応する位置に形成され、フィルタユニット２０の吹出開口４３は本体ユニット１の吹出開口１３１に対応する位置に形成されている。このため、化粧パネル２１の吸込口２２から吸込まれた空気は、フィルタユニット２０の吸込開口４２を通って、本体ユニット１の吸込開口１３０に流入する。また、本体ユニット１の吹出開口１３１から吹き出された調和空気は、フィルタユニット２０の吹出開口４３を通って、化粧パネル２１の吹出口２３から被調和室に吹き出す。
【００１８】
フィルタ素材２５は、図４に示すように、フィルタ搬送装置４１に取り付けられており、矩形の濾過面２６が形成されている。この濾過面２６は、フィルタ素材２５が取り付けられた状態で、ドレンパン１３に形成された吸込開口１３０を覆い尽くすようになっている。このフィルタ素材２５には、付着した塵埃が取り除き易く、容易に清掃することができるように、凹凸の少ないフラットな素材で帯状に形成されている。フィルタ素材２５は、フィルタ搬送装置４１により、矢印Ａに示す方向に搬送可能であり、フィルタ素材２５の搬送方向の前後には、濾過面２６の枠を形成する枠フレーム５８が設けられている。
【００１９】
フィルタ搬送装置４１は、濾過面２６の両端でフィルタ素材２５をガイドする一対のガイド軸４４を備えている。また、これら一対のガイド軸４４の間には、一対のロール４５Ａ、４５Ｂが配置されている。これらロール４５Ａ、４５Ｂは、濾過面２６とドレンパン１３との間に配置されているとともに、濾過面２６から吸込開口１３０に対して垂直に流入する空気の妨げとならない位置に避けて配置されている。
フィルタ素材２５は帯状に形成されており、濾過面２６の両端でガイド軸４４に沿って吸込開口１３０に向かって屈曲されている。フィルタ素材２５は、一端がロール４５Ａに巻きつけられ、他端がロール４５Ｂに巻き付けられている。濾過面２６の両端がガイド軸４４で屈曲して形成されているため、ガイド軸４４を設けずに濾過面２６の両端に直接ロール４５Ａ、４５Ｂを設けた場合と異なり、ロール４５Ａ、４５Ｂに巻き付けられたフィルタ素材２５の巻き数に応じて、フィルタ搬送装置４１と枠フレーム５８との隙間Ｃ、Ｄの大きさが変化することがない。
【００２０】
ロール４５Ａは、搬送モータ４６の駆動力で回転可能であり、ロール４５Ｂは、ある一定の力（少なくとも送風機９の吸引力ではフィルタ素材２５が送風機９に吸込まれない程度の力）を超えたときのみに回転するラッチを備えている。これにより、ロール４５Ａがフィルタ素材２５を引っ張るため、フィルタ素材２５にテンションが生じるようになっている。
搬送モータ４６が駆動すると、ロール４５Ａが回転してフィルタ素材２５を引張り、ロール４５Ｂに巻き付けられたフィルタ素材２５が繰り出されてフィルタ素材２５が矢印Ａに示す方向に搬送され、フィルタ素材２５における濾過面２６の位置が変わる。
【００２１】
フィルタ清掃装置４０は、清掃ノズル４７、フレキシブルホース（ホース）４９及び吸引装置４８を備えている。吸引装置４８と清掃ノズル４７とは、フレキシブルホース４９を介して接続されており、吸引装置４８が吸引力を発生させることにより、吸込口としての清掃ノズル４７が、フィルタ素材２５に付着した塵埃を吸引する。このとき、清掃ノズル４７が吸引した塵埃は、フレキシブルホース４９を介して吸引装置４８に搬送され、この吸引装置４８に設けられた集塵ボックス４８Ａに集塵される。
この集塵ボックス４８Ａは、フィルタユニット２０の隅部であって隣り合う二つの吹出開口４３の間に配置されている。また、フィルタユニット２０は、集塵ボックス４８Ａを備えることにより、集塵した塵埃を室外等に捨てる必要がなく、また、室外等に通じる排気用フレキシブルホース等を設ける必要がなく、フィルタユニット２０の据え付けが容易である。集塵ボックス４８Ａはサイクロン式であり、吸引した塵埃を圧縮して集塵するため、小さな集塵ボックス４８Ａであっても、多量の塵埃を集塵することができる。
【００２２】
また、集塵ボックス４８Ａの外側、すなわちフィルタユニット２０の外枠２０Ａの外側には、吸引装置４８の吸引力を発生させる吸引送風機５４が配置されている。さらにこの吸引送風機５４の横には、この吸引送風機５４を駆動する吸引モータ５３が配置されている。吸引送風機５４及び吸引モータ５３は、吸引装置４８の一部を構成している。吸引装置４８は、集塵ボックス４８Ａ及び吸引送風機５４に対して略直角に曲がった位置、すなわち、吹出開口４３の横の位置に吸引モータ５３が配置されている。このため、吸引モータ５３が、集塵ボックス４８Ａ及び吸引送風機５４に対して直線的に配置された場合に対して、フィルタユニット２０はコンパクトに構成されている。
【００２３】
フレキシブルホース４９は、フィルタ搬送装置４１と吹出開口４３との間に形成されたホース収納空間Ｅに収納されている。ここで、フレキシブルホース４９の中間部は、ホース収納空間Ｅのうちのレールフレーム５０Ａ、５０Ｂに略平行に形成された壁面Ｅ１の中央から集塵ボックス４８Ａに若干寄った位置に、ホース固定具５９で固定されている。このため、フレキシブルホース４９は、ホース固定具５９を基点に、清掃ノズル４７側が自由に動き、清掃ノズル４７の移動に追従して動くことができる。また、フレキシブルホース４９は、ホース固定具５９と集塵ボックス４８Ａとの間が略直線的に延在し、吸引装置４８が吸引するときの圧力損失を抑え、吸引力の低下を抑えている。
【００２４】
レールフレーム５０Ａのフィルタ素材２５と反対側の側面には、スライドモータ５１が配置され、レールフレーム５０Ａのフィルタ素材２５側の側面には、図２に示すように、スライド方向の両端近傍に一対のプーリ５２が配置されている。
これら一対のプーリ５２の周りには、一本の輪状のベルト５３が巻き掛けられている。このベルト５３は、スライドモータ５１の駆動力によって一対のプーリ５２の周りを回転するようになっている。また、ベルト５３には清掃ノズル４７が固定されており、スライドモータ５１が回転してベルト５３を回転することにより、清掃ノズル４７がレールフレーム５０Ａ、５０Ｂに沿って移動するようになっている。
【００２５】
清掃ノズル４７は、フィルタ素材２５の幅方向両端に濾過面２６に沿って配置された一対のレールフレーム５０Ａ、５０Ｂに架け渡されている。清掃ノズル４７は、図４に示すように、レールフレーム５０Ａ、５０Ｂに対して略垂直に保たれた状態で、矢印Ｂに示すようにレールフレーム５０Ａ、５０Ｂに沿って前後にスライドすることができる。天井埋込型天井埋込型空気調和機１００の運転中には、清掃ノズル４７は、矢印Ｂのいずれかの方向の終端部、すなわち、濾過面２６を通風する空気の妨げとならない位置にある。
この清掃ノズル４７は、レールフレーム５０Ａ、５０Ｂに架け渡されたメインフレーム７１を備えている。このメインフレーム７１のフィルタ素材２５側には、図５に示すように、ノズル本体（吸引部）７０が取り付けられている。このノズル本体７０は、矩形断面で中空に形成されており、図６に示すように、フィルタ素材２５の濾過面２６に沿って帯状に延びている。濾過面２６に対向する吸込面７０Ａの中央には、レールフレーム５０Ａ側からレールフレーム５０Ｂ側にわたり、濾過面２６に付着した塵埃を吸引する吸引開口７５が形成されている。この吸引開口７５は、フィルタ素材２５の全幅と略同寸法の長さであるとともに、フィルタ素材２５の幅方向と略同方向に延びている。ノズル本体７０内には、吸引開口７５とフレキシブルホース４９とを連通させる連通空間Ｆが形成されている。
【００２６】
ノズル本体７０のレールフレーム５０Ａ側は、Ｌ字管（ジョイント部）７６を介してフレキシブルホース４９（図４参照）に接続されている。また、ノズル本体７０の連通空間Ｆは、Ｌ字管７６側（レールフレーム５０Ａ側）の端部で高さｔ１である。このため、ノズル本体７０の連通空間Ｆの高さは、Ｌ字管７６側から他端にかけて次第に小さくなるように形成されており、他端側、すなわち、レールフレーム５０Ｂ側では高さｔ２（ｔ１＞ｔ２）となる。これにより、ノズル本体７０に形成された連通空間Ｆの断面は、吸引開口７５における位置が、フレキシブルホース４９が接続された位置から離れるにつれて小さくなるように形成されている。
【００２７】
メインフレーム７１のレールフレーム５０Ａ側端部及びレールフレーム５０Ｂ側端部には、図７に示すように、メインフレーム７１に、メインフレーム７１からフィルタ素材２５（濾過面２６）の裏側（吸込開口１３０側）まで延在するサイドフレーム７３がフィルタ素材２５の脇に取り付けられている。一対のサイドフレーム７３の間には、フィルタ素材２５の裏側に、対向板７２が架け渡されて一対のサイドフレーム７３と一体に形成されている。すなわち、フィルタ素材２５は、濾過面２６の表側に配置されたノズル本体７０と、濾過面２６の裏側に配置されてノズル本体７０の吸込面７０Ａに対向する対向板７２とにより挟み込まれている。これにより、対向板７２は清掃ノズル４７の一部を構成しており、サイドフレーム７１により一体に連結されたノズル本体７０とともにフィルタ素材２５の濾過面２６に沿って移動する。ここで、対向板７２は、図５に示すように、清掃ノズル４７の移動方向の両端が、フィルタ素材２５に当たらないように吸込開口１３０側に向かって屈曲されて屈曲部７２Ａが形成されており、対向板７２の吸込面７０Ａに対向する面の面積は、吸込面７０Ａと略同面積である。また、吸込面７０Ａと対向板７２との間隔は、吸引装置４８が稼働したときに、吸込面７０Ａと対向板７２との間を流れる空気の流速が上昇し、吸引力が向上する程度の間隔で構成されている。
【００２８】
また、一対のサイドフレーム７３の間には、図７に示すように、フィルタ素材２５の裏側に接触するブラシローラ（引掻きローラ）７４が架け渡されている。このブラシローラ７４は、吸引装置４８（図４参照）の吸引モータ５３（図４参照）に連動して動作するブラシモータ（モータ）７７によって、フィルタ素材２５に接触する面が吸込開口７５に向かって転動する。ブラシモータ７７は、対向板７２の吸込開口１３０（図２参照）側の面に配置されており、レールフレーム５０Ａ（図４参照）側の端部で、ブラシモータ７７の軸に取り付けられたプーリ７７Ａとブラシローラ７４に取り付けられたプーリ７４Ａとの周りに、図５に示すように、一本の輪状のブラシベルト７９が巻き掛けられている。これにより、ブラシモータ７７が駆動すると、ブラシローラ７４は、転動してフィルタ素材２５の裏面を吸込開口７５に向けて引掻く。
【００２９】
天井埋込型空気調和機１００を運転すると、化粧パネル２１の吸込口２２から吸込まれた被調和室の空気は、フィルタ素材２５の濾過面２６で濾過された後に送風機９を通過し、熱交換器１１に送風される。熱交換器１１に送風された空気は、熱交換器１１で空気調和され、調和空気として、化粧パネル２１の吹出口２３から被調和室に吹き出される。
天井埋込側空気調和機１００の運転時間が経過するとともに、フィルタ素材２５の濾過面２６には、被調和室の空気に含まれていた塵埃が捕捉されて蓄積される。このとき、フィルタ清掃装置４０が稼働すると、ブラシローラ７４が回転してフィルタ素材２５を引掻くとともに、濾過面２６に蓄積された塵埃を吸引して清掃する。また、フィルタ搬送装置４１が稼働する場合には、先ず、フィルタ清掃装置４０が稼働し、ブラシローラ７４が回転してフィルタ素材２５を引掻くとともに、濾過面２６に蓄積された塵埃を吸引し、フィルタ清掃装置４０が稼動した直後に、フィルタ搬送装置４１のロール４５Ａがフィルタ素材２５を巻き取ってフィルタ素材２５を搬送し、フィルタ素材２５における濾過面２６の位置を、汚れていない新たな位置に変更する。
【００３０】
本実施形態では、フィルタ素材２５の濾過面２６を、ノズル本体７０とこのノズル本体７０の吸込面７０Ａに対向する対向板７２とで挟み込んでいるため、フィルタ清掃装置４０の吸引力が分散するのを抑えて清掃能力を向上させることができ、フィルタ素材２５の濾過面２６に塵埃が付着したままの状態で、天井埋込型空気調和機１００を運転してしまうことを防ぐことができる。
また、本実施形態では、ノズル本体７０と吸込面７０Ａとがフィルタ素材２５の脇でサイドフレーム７３により一体に連結され、フィルタ素材２５の濾過面２６に沿って移動することができるため、濾過面２６の隅々まで清掃することができる。
【００３１】
さらに、本実施形態では、フィルタ素材２５の濾過面２６に接触するとともにブラシモータ７７によって転動するブラシローラ７４を備えるため、このブラシローラ７４がフィルタ素材２５を振動させ、フィルタ清掃装置４０の清掃能力をさらに向上させることができる。
さらにまた、本実施形態では、ノズル本体７０の連通空間Ｆの高さが、Ｌ字管７６側から他端にかけて次第に小さくなるように形成されているため、連通空間Ｆの断面は、フレキシブルホース４９が接続された位置から離れるにつれて小さくなる。これにより、吸引開口７５におけるＬ字管７６から近い位置とＬ字管７６から遠い位置とで、吸引力の差が生じるのを抑えることができる。
本実施形態では、フィルタ清掃装置４０の吸引装置４８は、フィルタユニット２０の隅部であって隣り合う二つの吹出開口４３の間に配置されているため、フィルタユニット２０はコンパクトに形成することができる。
【００３２】
以上、実施形態に基づいて本発明を説明したが、本発明はこれに限定されるものではない。上記実施形態では、四方向吹出式の天井埋込型空気調和機１００を用いて本発明を説明しているが、これに限定されず、二方向吹出式等のその他の天井埋込型空気調和機や天井埋込型でない空気調和機であってもよい。
また、上記実施形態では、本体ユニット１と、フィルタユニット２０と、化粧パネル２１とによって三段に構成された天井埋込型空気調和機１００を用いて本発明を説明しているが、これに限定されず、フィルタ素材、フィルタ清掃装置及びフィルタ搬送装置を備えるとともに隅部に集塵ボックスが配置された本体ユニットと、化粧パネルと、によって二段に構成された天井埋込型空気調和機であってもよい。
【００３３】
さらに、上記実施形態では、ノズル本体７０のレールフレーム５０Ａ側に、一つのＬ字管７６を解してフレキシブルホース４９を接続しているが、これに限定されず、例えば、図８に示すように、フレキシブルホース４９の清掃ノズル４７端に、複数（図８では三つ）の分岐部７８Ａ、７８Ｂ、７８Ｃに分岐する分岐管（ジョイント部）８０を設けてもよい。この構成によると、Ｌ字管７６一つでフレキシブルホース４９とノズル本体７０とを接続した場合よりも、吸引開口１７５における位置による吸引力の差が生じるのを抑えることができる。また、この場合において、フレキシブルホース４９が接続された位置からの長さが短い分岐部７８Ａ、７８Ｂ、７８Ｃほど、この分岐部７８Ａ、７８Ｂ、７８Ｃの内側に形成された流路の断面を小さく形成してもよい（図８では、分岐部７８Ａ、分岐部７８Ｂ、分岐部７８Ｃの順に小さく形成されている）。この構成によると、ノズル本体１７０の吸引開口１７５における位置による吸引力の差が生じるのをさらに抑えることができる。
【００３４】
さらにまた、上記実施形態では、ブラシローラ７４は、ブラシモータ７７の駆動力によって転動しているが、これに限定されず、例えば、吸引装置４８が吸引力を発生させたときに、吸込面７０Ａと対向板７２との間を吸引開口７５に向かって流れる空気の風力によって転動する構成であってもよい。これによると、ブラシモータ７７を用いなくてもブラシローラ７４を転動させることができる。
上記実施形態では、ブラシローラ７４は、フィルタ素材２５に対して対向板７２側に設けられて、フィルタ素材の対向板７２側の面を引掻いているが、これに限定されず、フィルタ素材２５に対してノズル本体７０側にブラシローラ７４を設けて、フィルタ素材２５のノズル本体７０側の面を引掻いてもよい。
【図面の簡単な説明】
【００３５】
【図１】本発明による天井埋込型空気調和機を示す斜視図である。
【図２】天井埋込型空気調和機を示す断面図である。
【図３】本体ユニットを示す底面図である。
【図４】フィルタユニットを示す底面図である。
【図５】清掃ノズルを示す断面図である。
【図６】ノズル本体を示す上面図及び側面図である。
【図７】清掃ノズルを示す側面図である。
【図８】変形例によるノズル本体及び分岐管を示す上面図及び側面図である。
【符号の説明】
【００３６】
１  本体ユニット
９  送風機
１１  熱交換器
２０  フィルタユニット
２１  化粧パネル
２５  フィルタ素材
２６  濾過面
４０  フィルタ清掃装置（清掃手段）
４８Ａ  集塵ボックス
４９  フレキシブルホース（ホース）
７０  ノズル本体（吸引部）
７２  対向板
７３  サイドフレーム
７４  ブラシローラ（引掻きローラ）
７５  吸引開口
７６  Ｌ字管（ジョイント部）
７７  ブラシモータ（モータ）
７８Ａ、７８Ｂ、７８Ｃ  分岐部
８０  分岐管（ジョイント部）
１００  天井埋込型空気調和機（空気調和機）
Ｆ  連通空間
【図１】
2007309584.tif 000003
【図２】
2007309584.tif 000004
【図３】
2007309584.tif 000005
【図４】
2007309584.tif 000006
【図５】
2007309584.tif 000007
【図６】
2007309584.tif 000008
【図７】
2007309584.tif 000009
【図８】
2007309584.tif 000010